(57)【要約】  本発明の実施形態は、タッチ制御システム、アクティブマトリクス型発光ダイオードパネル、及びディスプレイ駆動方法を提供するとともに、ディスプレイ技術の分野に関する。タッチ制御システムは、ガラスカバー、ポラライザ、パッケージングガラス、ＴＦＴバックプレーン、ＴＸ回路、及びＲＸ回路を含み、ガラスカバー、ポラライザ、パッケージングガラス、及びＴＦＴバックプレーンが、上から下に順に合わされ、且つＴＸ回路はＴＦＴバックプレーン上に位置し、ＲＸ回路はパッケージングガラス上に位置する。ＴＸ回路及びＲＸ回路は、それぞれ、ＴＦＴバックプレーン上及びパッケージングガラス上に置かれ、故に、タッチ制御システムの積み重ねられる層の数が減少される。これは、タッチ制御システムの厚さを減らし、それにより、いっそう薄くて軽いＡＭＯＬＥＤディスプレイスクリーンを達成し、端末製品の重量を減少させる。
2018522308.tif 000002
【特許請求の範囲】
【請求項１】
タッチ制御システムであって、当該タッチ制御システムは、ガラスカバー、ポラライザ、パッケージングガラス、薄膜トランジスタＴＦＴバックプレーン、送信器ＴＸ回路、及び受信器ＲＸ回路を有し、
前記ガラスカバー、前記ポラライザ、前記パッケージングガラス、及び前記ＴＦＴバックプレーンが、上から下に順に合わされ、且つ
前記ＴＸ回路は前記ＴＦＴバックプレーン上に位置し、前記ＲＸ回路は前記パッケージングガラス上に位置している、
タッチ制御システム。
【請求項２】
前記ＴＦＴバックプレーンはピクセル回路を有し、
前記ＴＸ回路は、前記ピクセル回路にインターカレート方式でルーティングされ、且つ
前記ＲＸ回路は、前記パッケージングガラスの上面にインターカレート方式でルーティングされている、
請求項１に記載のタッチ制御システム。
【請求項３】
前記ＴＦＴバックプレーンはピクセル回路を有し、
前記ＴＸ回路は、前記ピクセル回路にインターカレート方式でルーティングされ、且つ
前記ＲＸ回路は、前記パッケージングガラスの下面にインターカレート方式でルーティングされている、
請求項１に記載のタッチ制御システム。
【請求項４】
当該タッチ制御システムは有機発光ダイオードＯＬＥＤカソード層を有し、
前記ＯＬＥＤカソード層は、前記パッケージングガラスの前記下面に位置し、且つ
前記ＲＸ回路は、前記ＯＬＥＤカソード層にインターカレート方式でルーティングされている、
請求項３に記載のタッチ制御システム。
【請求項５】
前記ＴＸ回路の複数の経路が、前記ピクセル回路のピクセルアレイを複数のピクセルアレイブロックに分割する、請求項２又は３に記載のタッチ制御システム。
【請求項６】
前記ＲＸ回路は、前記ＯＬＥＤカソード層を複数のブロックに分割する、請求項３に記載のタッチ制御システム。
【請求項７】
請求項１乃至６の何れか一項に記載のタッチ制御システムと、走査回路と、発光制御回路とを有するアクティブマトリクス型有機発光ダイオードパネル。
【請求項８】
請求項７に記載のアクティブマトリクス型有機発光ダイオードパネルに適用されるディスプレイ駆動方法であって、
ディスプレイ駆動プロセスにおいて、画像のフレームに対して、走査信号線を使用することによって画像の前記フレームの複数の行を順に走査するように走査回路を駆動することと、
発光制御信号線を使用することによって、走査された前記複数の行を表示するように発光制御回路を駆動することと、
を有するディスプレイ駆動方法。
【請求項９】
前記走査信号線を使用することによって画像の前記フレームの複数の行を順に走査するように走査回路を駆動することは、
前記走査信号線を使用することによって、所定の方向に従って、画像の前記フレームの前記複数の行を順に走査するように前記走査回路を制御すること
を有する、請求項８に記載の方法。
【請求項１０】
タッチ制御応答時間が、前記走査回路の走査時間内又は前記発光制御回路の発光制御時間内に収まる、請求項８に記載の方法。
【発明の詳細な説明】
【技術分野】
【０００１】
本発明は、ディスプレイ技術の分野に関し、特に、タッチ制御システム、アクティブマトリクス型発光ダイオードパネル、及びディスプレイ駆動方法に関する。
【背景技術】
【０００２】
有機発光ディスプレイコンポーネントは、最も有望な次世代ディスプレイ技術として産業界で広く認知されており、現在の光エレクトロニクス分野における研究フォーカス及びホットトピックのうちの１つである。故に、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ、アクティブマトリクス型有機発光ダイオード）を用いることによって製造されるＡＭＯＬＥＤディスプレイスクリーンが、ディスプレイスクリーンの例えば良好な画質、軽量さ、及び薄さなどの数多くの利点のために、ハイエンドのスマートモデルで使用されている。
【０００３】
ＡＭＯＬＥＤディスプレイスクリーンは、ディスプレイスクリーンとタッチ制御システムとを含む。図１を参照するに、タッチ制御システムは、上から下に順に、ガラスカバー、独立センサ、ポラライザ、パッケージングガラス、及びＴＦＴ（Ｔｈｉｎ  Ｆｉｌｍ  Ｔｒａｎｓｉｓｔｏｒ、薄膜トランジスタ）バックプレーンである複数層の構造を含んでいる。独立センサの上面及び下面に、それぞれ、ＲＸ（Ｒｅｃｅｉｖｅｒ、受信器）回路及びＴＸ（Ｔｒａｎｓｆｅｒ、送信器）回路が配置されている。
【０００４】
本発明を実現する過程において、本発明者は、従来技術が少なくとも以下の問題を有することを発見した：
タッチ制御システムが複数層の構造を含んでディスプレイスクリーン上に製造されるので、タッチ制御システムを製造するのに、ガラス又はその他のテクスチャの材料のピースを独立に準備する必要がある。その結果、ＡＭＯＬＥＤディスプレイスクリーンが比較的厚くなり、それにより、端末製品の重量を増加させてしまう。
【発明の概要】
【０００５】
従来技術における問題を解決すべく、本発明の実施形態は、タッチ制御システム、アクティブマトリクス型発光ダイオードパネル、及びディスプレイ駆動方法を提供する。技術的ソリューションは次のとおりである。
【０００６】
第１の態様によれば、タッチ制御システムが提供され、当該タッチ制御システムは、ガラスカバー、ポラライザ、パッケージングガラス、ＴＦＴバックプレーン、ＴＸ回路、及びＲＸ回路を含み、
上記ガラスカバー、上記ポラライザ、上記パッケージングガラス、及び上記ＴＦＴバックプレーンが、上から下に順に合わされ、且つ
上記ＴＸ回路は上記ＴＦＴバックプレーン上に位置し、上記ＲＸ回路は上記パッケージングガラス上に位置する。
【０００７】
上記第１の態様の第１の取り得る実装様態において、上記ＴＦＴバックプレーンはピクセル回路を含み、
上記ＴＸ回路は、上記ピクセル回路にインターカレート方式でルーティングされ、且つ
上記ＲＸ回路は、上記パッケージングガラスの上面にインターカレート方式でルーティングされる。
【０００８】
上記第１の態様を参照するに、上記第１の態様の第２の取り得る実装様態において、上記ＴＦＴバックプレーンはピクセル回路を含み、
上記ＴＸ回路は、上記ピクセル回路にインターカレート方式でルーティングされ、且つ
上記ＲＸ回路は、上記パッケージングガラスの下面にインターカレート方式でルーティングされる。
【０００９】
上記第１の態様の上記第２の取り得る実装様態を参照するに、上記第１の態様の第３の取り得る実装様態において、当該タッチ制御システムはＯＬＥＤカソード層を含み、
上記ＯＬＥＤカソード層は、上記パッケージングガラスの上記下面に位置し、且つ
上記ＲＸ回路は、上記ＯＬＥＤカソード層にインターカレート方式でルーティングされる。
【００１０】
上記第１の態様の上記第１又は第２の取り得る実装様態を参照するに、上記第１の態様の第４の取り得る実装様態において、上記ＴＸ回路の複数の経路が、上記ピクセル回路のピクセルアレイを複数のピクセルアレイブロックに分割する。
【００１１】
上記第１の態様の上記第２の取り得る実装様態を参照するに、上記第１の態様の第５の取り得る実装様態において、上記ＲＸ回路は、上記ＯＬＥＤカソード層を複数のブロックに分割する。
【００１２】
第２の態様によれば、アクティブマトリクス型有機発光ダイオードパネルが提供され、当該パネルは、上述のタッチ制御システムと、走査回路と、発光制御回路とを含む。
【００１３】
第３の態様によれば、ディスプレイ駆動方法が提供され、当該ディスプレイ駆動方法は、上述のアクティブマトリクス型有機発光ダイオードパネルに適用され、当該方法は、
ディスプレイ駆動プロセスにおいて、画像のフレームに対して、走査信号線を使用することによって画像の上記フレームの複数の行を順に走査するように走査回路を駆動することと、
発光制御信号線を使用することによって、走査された前記複数の行を表示するように発光制御回路を駆動することと
を含む。
【００１４】
上記第３の態様の第１の取り得る実装様態において、
上記走査信号線を使用することによって画像の上記フレームの複数の行を順に走査するように走査回路を駆動することは、
上記走査信号線を使用することによって、所定の方向に従って、画像の上記フレームの上記複数の行を順に走査するように、上記走査回路を制御すること
を含む。
【００１５】
上記第３の態様を参照するに、上記第３の態様の第２の取り得る実装様態において、タッチ制御応答時間が、上記走査回路の走査時間内又は上記発光制御回路の発光制御時間内に収まる。
【００１６】
本発明の実施形態にて提供される技術的ソリューションの有益な効果は、以下のとおりである：
ＴＸ回路及びＲＸ回路がＴＦＴバックプレーン上又はパッケージングガラス上に置かれ、故に、タッチ制御システムの積み重ねられる層の数が減少される。これは、タッチ制御システムの厚さを減らし、それにより、いっそう薄くて軽いＡＭＯＬＥＤディスプレイスクリーンを達成し、端末製品の重量を減少させる。
【図面の簡単な説明】
【００１７】
本発明の実施形態における技術的ソリューションをいっそう明瞭に説明するため、以下、実施形態を説明するのに必要な添付図面を簡単に説明する。明らかなように、以下の説明において添付図面は、単に本発明の一部の実施形態を示すものであり、当業者はさらに、創作努力なしで、添付図面からその他の図を導き出し得る。
【図１】本発明の背景に従ったアクティブマトリクス型発光ダイオードパネルにおけるタッチ制御システムの模式的な構造図である。
【図２】本発明の一実施形態に従ったアクティブマトリクス型発光ダイオードパネルにおける第１タイプのタッチ制御システムの模式的な構造図である。
【図３】本発明の一実施形態に従ったアクティブマトリクス型発光ダイオードパネルにおける第２タイプのタッチ制御システムの回路の模式的な構造図である。
【図４】本発明の一実施形態に従ったＴＸ回路の模式的なルーティング図である。
【図５】本発明の一実施形態に従った第１タイプのＲＸ回路の模式的なルーティング図である。
【図６】本発明の一実施形態に従ったアクティブマトリクス型発光ダイオードパネルにおける第３タイプのタッチ制御システムの回路の模式的な構造図である。
【図７】本発明の一実施形態に従った第２タイプのＲＸ回路の模式的なルーティング図である。
【図８】本発明の一実施形態に従った第１タイプのディスプレイ駆動の模式図である。
【図９】本発明の一実施形態に従った第２タイプのディスプレイ駆動の模式図である。
【図１０】本発明の一実施形態に従ったディスプレイ駆動方法のフローチャートである。
【発明を実施するための形態】
【００１８】
本発明の目的、技術的ソリューション、及び利点をいっそう明瞭にするため、以下にて更に、添付図面を参照して、本発明の実施形態を詳細に説明する。
【００１９】
図２は、本発明の一実施形態に従ったタッチ制御システムを示している。図２を参照するに、タッチ制御システムは、ガラスカバー２１、ポラライザ２２、パッケージングガラス２３、ＴＦＴバックプレーン２４、ＴＸ回路２５、及びＲＸ回路２６を含んでいる。
【００２０】
ガラスカバー２１、ポラライザ２２、パッケージングガラス２３、及びＴＦＴバックプレーン２４は、上から下に順に合わせられる。ＴＸ回路２５はＴＦＴバックプレーン２４上に位置し、ＲＸ回路２６はパッケージングガラス２３上に位置している。
【００２１】
ＴＸ回路２５、パッケージングガラス２３、及びＲＸ回路２６は、従来技術におけるＴＸ回路、ＲＸ回路、及び独立センサの機能を実行する集積センサを形成する。すなわち、元々の機能を実行することができながら、独立センサが省略される。これは、タッチ制御システムの積み重ねられる層の数を更に減少させる。形成された集積センサは、ＡＭＯＬＥＤディスプレイスクリーン上の指からのタッチ制御命令を感知するように構成される。ポラライザ２３の機能は、自然光を直線偏光に変えることである。ＴＸ回路２５は、タッチ制御ＩＣ（Ｉｎｔｅｇｒａｔｅｄ  Ｃｉｒｃｕｉｔ、集積回路）送信ユニットから送られる走査信号を送信するように構成され、ＲＸ回路２６は、タッチ制御ＩＣ受信ユニットによって受け取られる走査信号を送信するように構成される。ＴＦＴバックプレーンはピクセル回路を含み、ピクセル回路の２辺の回路が更に、走査回路、発光制御回路、及びこれらに類するものに細分化され得る。すなわち、ＴＦＴバックプレーンは、多数のトランジスタ、配線、有機発光ダイオード、及びこれらに類するものを含む。ＴＸ回路及びＲＸ回路は、ＴＦＴバックプレーン上に、以下の２つの配置法で配置され得る。
【００２２】
第１の方法では、図３を参照するに、ＴＸ回路は、ＴＦＴバックプレーン上のピクセル回路にインターカレート方式でルーティングされ、ＲＸ回路は、パッケージングガラスの上面にインターカレート方式でルーティングされる。
【００２３】
ＴＸ回路がＴＦＴバックプレーン上のピクセル回路にインターカレート方式でルーティングされるというのは、ピクセル回路の複数の行の空間領域の中に配置されるようにＴＸ回路が設計されることを意味する。図４を参照するに、ＴＸ回路がＴＦＴバックプレーン上のピクセル回路にインターカレート方式でルーティングされるとき、ＴＸ回路の複数の経路が、ピクセル回路のピクセルアレイを複数のピクセルアレイブロックへと分割する。図４において、ストリップ領域はＴＸ経路を表しており、残りの領域はピクセルアレイを表している。ピクセル回路は、様々なエレクトロニクスコンポーネントを含んでおり、故に、ＴＦＴバックプレーンは様々な突出部を含んでいる。ＴＸ回路がピクセル回路にインターカレート方式でルーティングされるとき、ＴＸ回路は、ピクセル回路の突出部がない領域内でルーティングされ、それにより、タッチ制御システムの厚さが減少される。ＲＸ回路がＴＦＴバックプレーン上のパッケージングガラスの上面にインターカレート方式でルーティングされるというのは、パッケージングガラスの上面に配置されるようにＲＸ回路が設計されることを意味する。図５は、パッケージングガラスの上面上のＲＸ回路のルーティングを示している。
【００２４】
図３では、ＴＦＴバックプレーンとパッケージングガラスとの間に更に、ＯＬＥＤカソード層（ＯＬＥＤ  Ｃａｔｈｏｄｅ）及びＯＬＥＤ発光層（ＯＬＥＤ  Ｅｍｉｔｔｉｎｇ  Ｍａｔｅｒｉａｌ  Ｌａｙｅｒ）が含められている。加えて、ＯＬＥＤカソード層に対応して、ＯＬＥＤアノード層（ＯＬＥＤ  Ａｎｏｄｅ）が更に含められる。ＯＬＥＤアノード層は主としてＩＴＯ（Ｉｎｄｉｕｍ  Ｔｉｎ  Ｏｘｉｄｅ、インジウムスズ酸化物）で構成される。ＯＬＥＤ発光層は、薄くて透明なＯＬＥＤアノード層と、ＯＬＥＤカソード層との間に挟み込まれる。ＯＬＥＤアノード層の正孔（Ｈｏｌｅ）とＯＬＥＤアノード層からの電子（Ｅｌｅｃｔｒｏｎ）とに注入される電圧がＯＬＥＤ発光層上で組み合わされるとき、有機物が刺激されて光を放つ。
【００２５】
第２の方法では、図６を参照するに、ＴＸ回路がなおも、ピクセル回路にインターカレート方式でルーティングされるとともに、ＲＸ回路が、パッケージングガラスの下面に、インターカレート方式でルーティングされている。ＯＬＥＤカソード層が更に、パッケージングガラスの下面に配置され、ＲＸ回路は、ＯＬＥＤカソード層にインターカレート方式でルーティングされる。ＲＸ回路は、ＯＬＥＤカソード層にインターカレート方式でルーティングされ、ＯＬＥＤカソード層は、従来技術及び本発明の双方において、パッケージングガラスの下面に配置される。故に、タッチ制御システムの厚さが減少される。図７を参照するに、ＲＸ回路が、ＯＬＥＤカソード層にインターカレート方式でルーティングされており、故に、ＲＸ回路は、ＯＬＥＤカソード層を複数のブロックに分割する。図７において、黒色のストリップ領域は、この分割により得られるＯＬＥＤカソード層ブロックを表しており、無色のストリップ領域はＲＸ経路を表している。
【００２６】
本発明のこの実施形態では、ＴＸ回路及びＲＸ回路がＴＦＴバックプレーン上又はパッケージングガラス上に配置され、故に、タッチ制御システムの積み重ねられる層の数が減少される。これは、タッチ制御システムの厚さを減らし、それにより、いっそう薄くて軽いＡＭＯＬＥＤディスプレイスクリーンを達成し、端末製品の重量を減少させる。
【００２７】
なお、現在、ＡＭＯＬＥＤディスプレイスクリーンで一般的に用いられているディスプレイ駆動方式は、毎行走査・毎行表示（row-by-row  scan  and  row-by-row  display）の方式である。毎行走査とは、画像の各フレームが、画面の左上隅又は右上隅の第１行から始めて行ごとに連続走査することによって形成されることを意味する。すなわち、１つの行を走査するように走査信号（ＳＣＡＮ信号）が走査回路を制御した後に、その行を表示するように発光制御信号（ＥＭ信号）が発光制御回路を制御する。走査回路及び発光制御回路の双方が、ＴＦＴ及び有機発光ダイオードで構成される。走査信号及び発光制御信号を用いてＴＦＴのオン／オフを制御することで、ＴＦＴのオン／オフによって、走査機能を実行するように走査回路が制御されるとともに、ピクセル回路の発光制御を実行するように発光制御回路が制御される。図８に示すディスプレイ駆動の模式図を参照するに、横軸は時間を表しており、縦軸はピクセル数を表している。１フレームの画像に対し、１つの行が、スキャンされた直後に表示される。
【００２８】
毎行走査・毎行表示のディスプレイ駆動方式においては、タッチ制御応答時間（ＴＰ  ｓｅｎｓｉｎｇ  ｔｉｍｅ）は比較的長いが、１フレームに割り当てられる総時間は比較的一定である。結果として、走査時間及び表示時間が不十分となり、端末の表示品質に影響を及ぼす。タッチ制御応答時間は、ＴＸ信号が送信される時間とＲＸ信号が受信される時間との間の差を指す。より長いタッチ制御応答時間は、より低いレポートレートと、表示のためのより短い時間（ＩＮ−ＣＥＬＬ構造）とを引き起こし、画質に影響を及ぼす。レポートレートは、１秒当たりのタッチポイント情報を報告する回数を指す。より高いレポートレートは、ユーザーのタッチトラックをより忠実に復元できることを意味する。不十分な走査時間及び表示時間によって生じる表示品質の低下という欠点を回避するため、図９を参照するに、本発明の一実施形態は、毎セグメント走査・毎セグメント表示（segment-by-segment  scan  and  segment-by-segment  display）のディスプレイ駆動方式を提供する。具体的な一プロセスは、以下のとおりである。
【００２９】
ディスプレイ駆動プロセスにおいて、画像のフレームに対して、走査信号線を使用することによって、画像の上記フレームの複数の行を順に走査するように走査回路が駆動され、そして、発光制御信号線を使用することによって、走査された複数の行を表示するように発光制御回路が駆動される。複数の行とは、走査回路が、走査信号線を用いることによって駆動されて、或る行を走査することを完了した後に、その行が直ちには表示されず、その代わりに、走査回路が走査を続けることを意味する。走査された行の数が所定の数に達すると、このラウンドで走査された複数の行が一緒に表示される。この所定の数は、３０、４０、５０、又はこれらに類するものとし得る。本発明のこの実施形態は、所定のデータのサイズを特に限定するものではない。
【００３０】
さらに、走査信号線を使用することによって画像のフレームの複数の行を順に走査するように走査回路が駆動されるとき、実行のために以下の方式が使用され得る：走査回路は、走査信号線を使用することによって、所定の方向に従って、画像のフレームの複数の行を順に走査するように制御される。この所定の方向は、左から右へ、又は右から左へとし得る。本発明のこの実施形態は、これに対して特定の限定を課すものではない。
【００３１】
毎セグメント走査・毎セグメント表示の駆動方式を用いることにより、タッチ制御応答時間は、走査回路の走査時間（Ｓｃａｎ  Ｔｉｍｅ）内、又は発光制御回路の発光制御時間（Ｅｍｉｓｓｉｖｅ  Ｔｉｍｅ）内に収まる。すなわち、タッチ制御応答時間が走査時間又は発光制御時間と重なり合い、それにより、シリアル処理をパラレル処理へと変換する。ＴＰセンシング動作が、発光時間又は走査時間の中で完了される。これは、タッチ制御応答時間を短縮し、それにより、十分な走査時間及び表示時間が確保され、画像表示品質が確保される。
【００３２】
１９２０＊１０８０（行＊列）のディスプレイコンポーネント及び１６＊３０（行＊列）のタッチ制御コンポーネントを例として使用するに、１９２０＊１０８０のディスプレイコンポーネントの走査時間又は発光制御時間は、１６＊３０のＴＰ（Ｔｏｕｃｈ  Ｐａｎｅｌ、タッチパネル）に対応する元々の走査時間及び応答時間（ＴＰ  ｓｅｎｓｉｎｇ  ｔｉｍｅ）をカバーする。元々の毎行走査・毎行表示の方式では、時間は、１９２０行の走査時間＋１９２０行の表示時間＋１６行のタッチ制御応答時間であり、これらの処理はシリアルである。本発明のこの実施形態で提供される毎セグメント走査・毎セグメント表示の方式では、時間は、１９２０÷１６＝１２０行の走査時間＋１２０行の表示時間＋１２０行の走査時間＋１２０行の表示時間＋…＋１２０行の走査時間＋１２０行の表示時間であり、１２０行の走査時間又は１２０行の表示時間がＴＰ  ｓｅｎｓｉｎｇ  ｔｉｍｅをカバーする。
【００３３】
本発明のこの実施形態で提供されるタッチ制御システムにおいては、ＴＸ回路及びＲＸ回路がＴＦＴバックプレーン上又はパッケージングガラス上に配置され、故に、タッチ制御システムの積み重ねられる層の数が減少される。これは、タッチ制御システムの厚さを減らし、それにより、いっそう薄くて軽いＡＭＯＬＥＤディスプレイスクリーンを達成する。さらに、毎セグメント走査・毎セグメント表示の駆動方式を使用することにより、タッチ制御応答時間が短縮され、それにより、十分な走査時間及び表示時間が確保され、画像表示品質が確保される。
【００３４】
本発明の一実施形態は更に、上述の図２に示したタッチ制御システムと、走査回路と、発光制御回路とを含むアクティブマトリクス型有機発光ダイオードパネルを提供する。このアクティブマトリクス型有機発光ダイオードパネルの有益な効果は、本発明の上述の実施形態で提供されるタッチ制御システムのものと同じである。上述の実施形態にてタッチ制御システムを詳細に説明したので、ここで再び詳細を説明したりはしない。
【００３５】
本発明のこの実施形態で提供されるアクティブマトリクス型有機発光ダイオードパネルにおいては、ＴＸ回路及びＲＸ回路がＴＦＴバックプレーン上又はパッケージングガラス上に配置され、故に、タッチ制御システムの積み重ねられる層の数が減少される。これは、タッチ制御システムの厚さを減らし、それにより、いっそう薄くて軽いＡＭＯＬＥＤディスプレイスクリーンを達成し、端末製品の重量を減少させる。さらに、毎セグメント走査・毎セグメント表示の駆動方式を使用することにより、タッチ制御応答時間が短縮され、それにより、十分な走査時間及び表示時間が確保され、画像表示品質が確保される。
【００３６】
図１０は、本発明の一実施形態に従ったディスプレイ駆動方法を示している。このディスプレイ駆動方法は、上述の実施形態で提供されるアクティブマトリクス型有機発光ダイオードパネルに適用され得る。図１０を参照するに、この駆動方法は、以下のステップを含む。
【００３７】
１００１：ディスプレイ駆動プロセスにおいて、画像のフレームに対して、走査信号線を使用することによって、画像のフレームの複数の行を順に走査するように走査回路を駆動する。走査信号線を使用することによって画像のフレームの複数の行を順に走査するように走査回路を駆動することは、
走査信号線を使用することによって、所定の方向に従って、画像のフレームの複数の行を順に走査するように走査回路を制御すること
を含む。
【００３８】
１００２：発光制御信号線を使用することによって、走査された複数の行を表示するように発光制御回路を駆動する。
【００３９】
タッチ制御応答時間は、走査回路の走査時間内又は発光制御回路の発光制御時間内に収まる。
【００４０】
本発明のこの実施形態で提供されるディスプレイ駆動方法によれば、ディスプレイ駆動プロセスにおいて、画像のフレームに対して、走査回路が、走査信号線を使用することによって、画像のフレームの複数の行を順に走査するように駆動され、次いで、発光制御回路が、発光制御信号線を使用することによって、走査された複数の行を表示するように駆動される。毎セグメント走査・毎セグメント表示の駆動方式が使用されるので、タッチ制御応答時間が短縮され、それにより、十分な走査時間及び表示時間が確保され、画像表示品質が確保される。
【００４１】
当業者は、実施形態のステップの全て又は一部が、ハードウェアによって又は関連ハードウェアに命令するプログラムによって実装され得ることを理解することができる。プログラムは、コンピュータ読み取り可能記憶媒体に格納され得る。記憶媒体は、読み出し専用メモリ、磁気ディスク、又は光ディスクを含み得る。
【００４２】
以上の説明は、本発明の単なる実施形態例であり、本発明を限定することを意図したものではない。本発明の精神及び原理を逸脱することなく為される如何なる変更、均等物、置換、及び改良も、本発明の保護範囲に入るものである。
【図１】
2018522308.tif 000003
【図２】
2018522308.tif 000004
【図３】
2018522308.tif 000005
【図４】
2018522308.tif 000006
【図５】
2018522308.tif 000007
【図６】
2018522308.tif 000008
【図７】
2018522308.tif 000009
【図８】
2018522308.tif 000010
【図９】
2018522308.tif 000011
【図１０】
2018522308.tif 000012
【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
タッチシステムであって、当該タッチシステムは、ガラスカバー、ポラライザ、パッケージングガラス、薄膜トランジスタ（ＴＦＴ）バックプレーン、送信器ＴＸ回路、及び受信器ＲＸ回路を有し、
前記ガラスカバー、前記ポラライザ、前記パッケージングガラス、及び前記ＴＦＴバックプレーンが、上から下に順に合わされ、且つ
前記ＴＸ回路は前記ＴＦＴバックプレーン上に位置し、前記ＲＸ回路は前記パッケージングガラス上に位置している、
タッチシステム。
【請求項２】
前記ＴＦＴバックプレーン上にピクセル回路が存在し、
前記ＴＸ回路は、前記ピクセル回路にインターカレート方式でルーティングされ、且つ
前記ＲＸ回路は、前記パッケージングガラスの下面にインターカレート方式でルーティングされている、
請求項１に記載のタッチシステム。
【請求項３】
当該タッチシステムは有機発光ダイオード（ＯＬＥＤ）カソード層を有し、
前記ＯＬＥＤカソード層は、前記パッケージングガラスの下面に位置し、且つ
前記ＲＸ回路は、前記ＯＬＥＤカソード層にインターカレート方式でルーティングされている、
請求項１又は２に記載のタッチシステム。
【請求項４】
前記ＴＦＴバックプレーン上にピクセル回路が存在し、
前記ＴＸ回路は、前記ピクセル回路にインターカレート方式でルーティングされ、且つ
前記ＲＸ回路は、前記パッケージングガラスの上面にインターカレート方式でルーティングされている、
請求項１に記載のタッチシステム。
【請求項５】
前記ＴＸ回路の複数の経路が、前記ピクセル回路のピクセルアレイを複数のピクセルアレイブロックに分割する、請求項２又は４に記載のタッチシステム。
【請求項６】
前記ＲＸ回路は、前記ＯＬＥＤカソード層を複数のブロックに分割する、請求項３に記載のタッチシステム。
【請求項７】
請求項１乃至６の何れか一項に記載のタッチシステムと、走査回路と、発光制御回路とを有するアクティブマトリクス型有機発光ダイオードパネル。
【請求項８】
請求項７に記載のアクティブマトリクス型有機発光ダイオードパネルに適用されるディスプレイ駆動方法であって、
ディスプレイ駆動プロセスにおいて、画像のフレームに対して、走査信号線を使用することによって画像の前記フレームの複数の行を順に走査するように走査回路を駆動することと、
発光制御信号線を使用することによって、走査された前記複数の行を表示するように発光制御回路を駆動することと、
を有するディスプレイ駆動方法。
【請求項９】
前記走査信号線を使用することによって画像の前記フレームの複数の行を順に走査するように走査回路を駆動することは、
前記走査信号線を使用することによって、所定の方向に従って、画像の前記フレームの前記複数の行を順に走査するように前記走査回路を制御すること
を有する、請求項８に記載のディスプレイ駆動方法。
【請求項１０】
タッチ応答時間が、前記走査回路の走査時間内に収まる、請求項８又は９に記載のディスプレイ駆動方法。
【請求項１１】
タッチ応答時間が、前記発光制御回路の放射時間内に収まる、請求項８又は９に記載のディスプレイ駆動方法。
【請求項１２】
１つ以上のプログラムを格納したコンピュータ読み取り可能記憶媒体であって、前記１つ以上のプログラムは、コンピュータによって実行されるときに該コンピュータに請求項８乃至１１の何れか一項に記載のディスプレイ駆動方法を実行させる命令を含む、コンピュータ読み取り可能記憶媒体。
【請求項１３】
コンピュータによって実行されるときに該コンピュータに請求項８乃至１１の何れか一項に記載のディスプレイ駆動方法を実行させる命令を含んだコンピュータプログラム。
【手続補正２】
【補正対象書類名】明細書
【補正対象項目名】全文
【補正方法】変更
【補正の内容】
【発明の詳細な説明】
【技術分野】
【０００１】
本発明は、ディスプレイ技術の分野に関し、特に、タッチシステム、アクティブマトリクス型有機発光ダイオードパネル、及びディスプレイ駆動方法に関する。
【背景技術】
【０００２】
有機発光ディスプレイコンポーネントは、最も有望な次世代ディスプレイ技術として産業界で広く認知されており、現在の光エレクトロニクス分野における研究フォーカス及びホットトピックのうちの１つである。故に、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ、アクティブマトリクス型有機発光ダイオード）を用いることによって製造されるＡＭＯＬＥＤディスプレイスクリーンが、ディスプレイスクリーンの例えば良好な画質、軽量さ、及び薄さなどの数多くの利点のために、ハイエンドのスマートモデルで使用されている。
【０００３】
ＡＭＯＬＥＤディスプレイスクリーンは、ディスプレイスクリーンとタッチシステムとを含む。図１を参照するに、タッチシステムは、上から下に順に、ガラスカバー、独立センサ、ポラライザ、パッケージングガラス、及びＴＦＴ（Ｔｈｉｎ  Ｆｉｌｍ  Ｔｒａｎｓｉｓｔｏｒ、薄膜トランジスタ）バックプレーンである複数層の構造を含んでいる。独立センサの上面及び下面に、それぞれ、ＲＸ（Ｒｅｃｅｉｖｅｒ、受信器）回路及びＴＸ（Ｔｒａｎｓｍｉｔｔｅｒ、送信器）回路が配置されている。
【０００４】
従来技術は以下の欠点を有する：
タッチシステムが複数層の構造を含んでディスプレイスクリーン上に製造されるので、タッチシステムを製造するのに、ガラス又はその他のテクスチャの材料のピースを独立に準備する必要がある。その結果、ＡＭＯＬＥＤディスプレイスクリーンが比較的厚くなり、それにより、端末製品の重量を増加させてしまう。
【発明の概要】
【０００５】
従来技術における問題を解決すべく、本発明の実施形態は、タッチシステム、アクティブマトリクス型有機発光ダイオードパネル、及びディスプレイ駆動方法を提供する。技術的ソリューションは次のとおりである。
【０００６】
第１の態様によれば、タッチシステムが提供され、当該タッチシステムは、ガラスカバー、ポラライザ、パッケージングガラス、ＴＦＴバックプレーン、ＴＸ回路、及びＲＸ回路を含み、
上記ガラスカバー、上記ポラライザ、上記パッケージングガラス、及び上記ＴＦＴバックプレーンが、上から下に順に合わされ、且つ
上記ＴＸ回路は上記ＴＦＴバックプレーン上に位置し、上記ＲＸ回路は上記パッケージングガラス上に位置する。
【０００７】
上記第１の態様の第１の取り得る実装様態において、上記ＴＦＴバックプレーン上にピクセル回路が存在し、
上記ＴＸ回路は、上記ピクセル回路にインターカレート方式でルーティングされ、且つ
上記ＲＸ回路は、上記パッケージングガラスの上面にインターカレート方式でルーティングされる。
【０００８】
上記第１の態様を参照するに、上記第１の態様の第２の取り得る実装様態において、上記ＴＦＴバックプレーン上にピクセル回路が存在し、
上記ＴＸ回路は、上記ピクセル回路にインターカレート方式でルーティングされ、且つ
上記ＲＸ回路は、上記パッケージングガラスの下面にインターカレート方式でルーティングされる。
【０００９】
上記第１の態様の上記第２の取り得る実装様態を参照するに、上記第１の態様の第３の取り得る実装様態において、当該タッチシステムはＯＬＥＤカソード層を含み、
上記ＯＬＥＤカソード層は、上記パッケージングガラスの上記下面に位置し、且つ
上記ＲＸ回路は、上記ＯＬＥＤカソード層にインターカレート方式でルーティングされる。
【００１０】
上記第１の態様の上記第１又は第２の取り得る実装様態を参照するに、上記第１の態様の第４の取り得る実装様態において、上記ＴＸ回路の複数の経路が、上記ピクセル回路のピクセルアレイを複数のピクセルアレイブロックに分割する。
【００１１】
上記第１の態様の上記第２の取り得る実装様態を参照するに、上記第１の態様の第５の取り得る実装様態において、上記ＲＸ回路は、上記ＯＬＥＤカソード層を複数のブロックに分割する。
【００１２】
第２の態様によれば、アクティブマトリクス型有機発光ダイオードパネルが提供され、当該パネルは、上述のタッチシステムと、走査回路と、発光制御回路とを含む。
【００１３】
第３の態様によれば、ディスプレイ駆動方法が提供され、当該ディスプレイ駆動方法は、上述のアクティブマトリクス型有機発光ダイオードパネルに適用され、当該方法は、
ディスプレイ駆動プロセスにおいて、画像のフレームに対して、走査信号線を使用することによって画像の上記フレームの複数の行を順に走査するように走査回路を駆動することと、
発光制御信号線を使用することによって、走査された前記複数の行を表示するように発光制御回路を駆動することと
を含む。
【００１４】
上記第３の態様の第１の取り得る実装様態において、
上記走査信号線を使用することによって画像の上記フレームの複数の行を順に走査するように走査回路を駆動することは、
上記走査信号線を使用することによって、所定の方向に従って、画像の上記フレームの上記複数の行を順に走査するように、上記走査回路を制御すること
を含む。
【００１５】
上記第３の態様を参照するに、上記第３の態様の第２の取り得る実装様態において、タッチ応答時間が、上記走査回路の走査時間内又は上記発光制御回路の放射時間内に収まる。
【００１６】
本発明の実施形態にて提供される技術的ソリューションの有益な効果は、以下のとおりである：
ＴＸ回路及びＲＸ回路がそれぞれＴＦＴバックプレーン上又はパッケージングガラス上に置かれ、故に、タッチシステムの積み重ねられる層の数が減少される。これは、タッチシステムの厚さを減らし、それにより、いっそう薄くて軽いＡＭＯＬＥＤディスプレイスクリーンを達成し、端末製品の重量を減少させる。
【図面の簡単な説明】
【００１７】
本発明の実施形態における技術的ソリューションをいっそう明瞭に説明するため、以下、実施形態を説明するのに必要な添付図面を簡単に説明する。明らかなように、以下の説明において添付図面は、単に本発明の一部の実施形態を示すものであり、当業者はさらに、創作努力なしで、添付図面からその他の図を導き出し得る。
【図１】従来技術に従ったアクティブマトリクス型有機発光ダイオードパネルにおけるタッチシステムの模式的な構造図である。
【図２】本発明の一実施形態に従ったアクティブマトリクス型有機発光ダイオードパネルにおける第１タイプのタッチシステムの模式的な構造図である。
【図３】本発明の一実施形態に従ったアクティブマトリクス型有機発光ダイオードパネルにおける第２タイプのタッチシステムの模式的な構造図である。
【図４】本発明の一実施形態に従ったＴＸ回路の模式的なルーティング図である。
【図５】本発明の一実施形態に従った第１タイプのＲＸ回路の模式的なルーティング図である。
【図６】本発明の一実施形態に従ったアクティブマトリクス型有機発光ダイオードパネルにおける第３タイプのタッチシステムの模式的な構造図である。
【図７】本発明の一実施形態に従った第２タイプのＲＸ回路の模式的なルーティング図である。
【図８】本発明の一実施形態に従った第１タイプのディスプレイ駆動の模式図である。
【図９】本発明の一実施形態に従った第２タイプのディスプレイ駆動の模式図である。
【図１０】本発明の一実施形態に従ったディスプレイ駆動方法のフローチャートである。
【発明を実施するための形態】
【００１８】
本発明の目的、技術的ソリューション、及び利点をいっそう明瞭にするため、以下にて更に、添付図面を参照して、本発明の実施形態を詳細に説明する。
【００１９】
図２は、本発明の一実施形態に従ったタッチシステムを示している。図２を参照するに、タッチシステムは、ガラスカバー２１、ポラライザ２２、パッケージングガラス２３、ＴＦＴバックプレーン２４、ＴＸ回路２５、及びＲＸ回路２６を含んでいる。
【００２０】
ガラスカバー２１、ポラライザ２２、パッケージングガラス２３、及びＴＦＴバックプレーン２４は、上から下に順に合わせられる。ＴＸ回路２５はＴＦＴバックプレーン２４上に位置し、ＲＸ回路２６はパッケージングガラス２３上に位置している。
【００２１】
ＴＸ回路２５、パッケージングガラス２３、及びＲＸ回路２６は、従来技術におけるＴＸ回路、ＲＸ回路、及び独立センサの機能を実行する集積センサを形成する。すなわち、元々の機能を実行することができながら、独立センサが省略される。これは、タッチシステムの積み重ねられる層の数を更に減少させる。形成された集積センサは、ＡＭＯＬＥＤディスプレイスクリーン上の指からのタッチ命令を感知するように構成される。ポラライザ２２の機能は、自然光を直線偏光に変えることである。ＴＸ回路２５は、タッチＩＣ（Ｉｎｔｅｇｒａｔｅｄ  Ｃｉｒｃｕｉｔ、集積回路）送信ユニットから送られる走査信号を送信するように構成され、ＲＸ回路２６は、タッチＩＣ受信ユニットによって受け取られる走査信号を送信するように構成される。ＴＦＴバックプレーン上にピクセル回路が存在し、ピクセル回路の２辺の回路が更に、走査回路、発光制御回路、及びこれらに類するものに細分化され得る。すなわち、ＴＦＴバックプレーンは、多数のトランジスタ、配線、有機発光ダイオード、及びこれらに類するものを含む。ＴＸ回路及びＲＸ回路は、ＴＦＴバックプレーン上に、以下の２つの配置法で配置され得る。
【００２２】
第１の方法では、図３を参照するに、ＴＸ回路は、ＴＦＴバックプレーン上のピクセル回路にインターカレート方式でルーティングされ、ＲＸ回路は、パッケージングガラスの上面にインターカレート方式でルーティングされる。
【００２３】
ＴＸ回路がＴＦＴバックプレーン上のピクセル回路にインターカレート方式でルーティングされるというのは、ピクセル回路の複数の行の非占有領域の中に配置されるようにＴＸ回路が設計されることを意味する。図４を参照するに、ＴＸ回路がＴＦＴバックプレーン上のピクセル回路にインターカレート方式でルーティングされるとき、ＴＸ回路の複数の経路が、ピクセル回路のピクセルアレイを複数のピクセルアレイブロックへと分割する。図４において、ストリップ領域はＴＸ経路を表しており、残りの領域はピクセルアレイを表している。ピクセル回路は、様々なエレクトロニクスコンポーネントを含んでおり、故に、ＴＦＴバックプレーンは様々な突出部を含んでいる。ＴＸ回路がピクセル回路にインターカレート方式でルーティングされるとき、ＴＸ回路は、ピクセル回路の突出部がない領域内でルーティングされ、それにより、タッチシステムの厚さが減少される。ＲＸ回路がＴＦＴバックプレーン上のパッケージングガラスの上面にインターカレート方式でルーティングされるというのは、パッケージングガラスの上面に配置されるようにＲＸ回路が設計されることを意味する。図５は、パッケージングガラスの上面上のＲＸ回路のルーティングを示している。
【００２４】
図３では、ＴＦＴバックプレーンとパッケージングガラスとの間に更に、ＯＬＥＤカソード層（ＯＬＥＤ  Ｃａｔｈｏｄｅ  Ｌａｙｅｒ）及びＯＬＥＤ発光材料層（ＯＬＥＤ  Ｅｍｉｔｔｉｎｇ  Ｍａｔｅｒｉａｌ  Ｌａｙｅｒ）が含められている。加えて、ＯＬＥＤカソード層に対応して、ＯＬＥＤアノード層（ＯＬＥＤ  Ａｎｏｄｅ  Ｌａｙｅｒ）が更に含められる。ＯＬＥＤアノード層は主としてＩＴＯ（Ｉｎｄｉｕｍ  Ｔｉｎ  Ｏｘｉｄｅ、インジウムスズ酸化物）から作製される。ＯＬＥＤ発光材料層は、薄くて透明なＯＬＥＤアノード層と、ＯＬＥＤカソード層との間に挟み込まれる。電圧が印加されて、ＯＬＥＤアノード層からの正孔（Ｈｏｌｅ）とＯＬＥＤカソード層からの電子（Ｅｌｅｃｔｒｏｎ）とがＯＬＥＤ発光材料層上で結合されるとき、有機物が刺激されて光を放つ。
【００２５】
第２の方法では、図６を参照するに、ＴＸ回路がなおも、ピクセル回路にインターカレート方式でルーティングされるとともに、ＲＸ回路が、パッケージングガラスの下面に、インターカレート方式でルーティングされている。ＯＬＥＤカソード層が更に、パッケージングガラスの下面に配置され、ＲＸ回路は、ＯＬＥＤカソード層にインターカレート方式でルーティングされる。ＲＸ回路は、ＯＬＥＤカソード層にインターカレート方式でルーティングされ、ＯＬＥＤカソード層は、従来技術及び本発明の双方において、パッケージングガラスの下面に配置される。故に、タッチシステムの厚さが減少される。図７を参照するに、ＲＸ回路が、ＯＬＥＤカソード層にインターカレート方式でルーティングされており、故に、ＲＸ回路は、ＯＬＥＤカソード層を複数のブロックに分割する。図７において、黒色のストリップ領域は、この分割により得られるＯＬＥＤカソード層ブロックを表しており、無色のストリップ領域はＲＸ経路を表している。
【００２６】
本発明のこの実施形態では、ＴＸ回路及びＲＸ回路がそれぞれＴＦＴバックプレーン上又はパッケージングガラス上に配置され、故に、タッチシステムの積み重ねられる層の数が減少される。これは、タッチシステムの厚さを減らし、それにより、いっそう薄くて軽いＡＭＯＬＥＤディスプレイスクリーンを達成し、端末製品の重量を減少させる。
【００２７】
なお、現在、ＡＭＯＬＥＤディスプレイスクリーンで一般的に用いられているディスプレイ駆動方式は、毎行走査・毎行表示（row-by-row  scan  and  row-by-row  display）の方式である。毎行走査とは、画像の各フレームが、画面の左上隅又は右上隅の第１行から始めて行ごとに連続走査することによって形成されることを意味する。すなわち、１つの行を走査するように走査信号（ＳＣＡＮ信号）が走査回路を制御した後に、その行を表示するように発光制御信号（ＥＭ信号）が発光制御回路を制御する。走査回路及び発光制御回路の双方が、ＴＦＴ及び有機発光ダイオードを含む。走査信号及び発光制御信号を用いてＴＦＴのオン／オフを制御することで、走査機能を実行するように走査回路が制御されるとともに、ピクセル回路の発光制御を実行するように発光制御回路が制御される。図８に示すディスプレイ駆動の模式図を参照するに、横軸は時間を表しており、縦軸はピクセル数を表している。１フレームの画像に対し、１つの行が、スキャンされた直後に表示される。
【００２８】
毎行走査・毎行表示のディスプレイ駆動方式においては、タッチ応答時間（ｔｏｕｃｈ  ｒｅｓｐｏｎｓｅ  ｔｉｍｅ）は比較的長いが、１フレームに割り当てられる総時間は比較的一定である。結果として、走査時間及び表示時間が不十分となり、端末の表示品質に影響を及ぼす。タッチ応答時間は、ＴＸ信号が送信される時間とＲＸ信号が受信される時間との間の差を指す。ＩＮ−ＣＥＬＬ構造において、より長いタッチ応答時間は、より低いレポートレートと、表示のためのより短い時間とを引き起こし、画質に影響を及ぼす。レポートレートは、１秒当たりのタッチポイント情報を報告する回数を指す。より高いレポートレートは、ユーザーのタッチトラックをより忠実に復元できることを意味する。不十分な走査時間及び表示時間によって生じる表示品質の低下という欠点を回避するため、図９を参照するに、本発明の一実施形態は、毎セグメント走査・毎セグメント表示（segment-by-segment  scan  and  segment-by-segment  display）のディスプレイ駆動方式を提供する。具体的な一プロセスは、以下のとおりである。
【００２９】
ディスプレイ駆動プロセスにおいて、画像のフレームに対して、走査信号線を使用することによって、画像の上記フレームの複数の行を順に走査するように走査回路が駆動され、そして、発光制御信号線を使用することによって、走査された複数の行を表示するように発光制御回路が駆動される。複数の行とは、走査回路が、走査信号線を用いることによって駆動されて、或る行を走査することを完了した後に、その行が直ちには表示されず、その代わりに、走査回路が走査を続けることを意味する。走査された行の数が所定の数に達すると、このラウンドで走査された複数の行が一緒に表示される。この所定の数は、３０、４０、５０、又はこれらに類するものとし得る。本発明のこの実施形態は、この所定の数を特に限定するものではない。
【００３０】
さらに、走査信号線を使用することによって画像のフレームの複数の行を順に走査するように走査回路が駆動されるとき、実行のために以下の方式が使用され得る：走査回路は、走査信号線を使用することによって、所定の方向に従って、画像のフレームの複数の行を順に走査するように制御される。この所定の方向は、左から右へ、又は右から左へとし得る。本発明のこの実施形態は、これに対して特定の限定を課すものではない。
【００３１】
毎セグメント走査・毎セグメント表示の駆動方式を用いることにより、タッチ応答時間は、走査回路の走査時間（Ｓｃａｎ  Ｔｉｍｅ）内、又は発光制御回路の放射時間（Ｅｍｉｓｓｉｖｅ  Ｔｉｍｅ）内に収まる。すなわち、タッチ応答時間が走査時間又は放射時間と重なり合い、それにより、シリアル処理をパラレル処理へと変換する。ＴＰセンシング動作が、発光制御時間又は走査時間の中で完了される。これは、タッチ応答時間を短縮し、それにより、十分な走査時間及び表示時間が確保され、画像表示品質が確保される。
【００３２】
１９２０＊１０８０（行＊列）のディスプレイコンポーネント及び１６＊３０（行＊列）のタッチコンポーネントを例として使用するに、１９２０＊１０８０のディスプレイコンポーネントの走査時間又は放射時間は、１６＊３０のＴＰ（Ｔｏｕｃｈ  Ｐａｎｅｌ、タッチパネル）に対応する元々の走査時間及び応答時間をカバーする。元々の毎行走査・毎行表示の方式では、時間は、１９２０行の走査時間＋１９２０行の表示時間＋１６行のタッチ応答時間であり、これらの処理はシリアルである。本発明のこの実施形態で提供される毎セグメント走査・毎セグメント表示の方式では、時間は、１９２０÷１６＝１２０行の走査時間＋１２０行の表示時間＋１２０行の走査時間＋１２０行の表示時間＋…＋１２０行の走査時間＋１２０行の表示時間であり、１２０行の走査時間又は１２０行の表示時間がタッチ応答時間をカバーする。
【００３３】
本発明のこの実施形態で提供されるタッチシステムにおいては、ＴＸ回路及びＲＸ回路がそれぞれＴＦＴバックプレーン上又はパッケージングガラス上に配置され、故に、タッチシステムの積み重ねられる層の数が減少される。これは、タッチシステムの厚さを減らし、それにより、いっそう薄くて軽いＡＭＯＬＥＤディスプレイスクリーンを達成する。さらに、毎セグメント走査・毎セグメント表示の駆動方式を使用することにより、タッチ応答時間が短縮され、それにより、十分な走査時間及び表示時間が確保され、画像表示品質が確保される。
【００３４】
本発明の一実施形態は更に、上述の図２に示したタッチシステムと、走査回路と、発光制御回路とを含むアクティブマトリクス型有機発光ダイオードパネルを提供する。このアクティブマトリクス型有機発光ダイオードパネルの有益な効果は、本発明の上述の実施形態で提供されるタッチシステムのものと同じである。上述の実施形態にてタッチシステムを詳細に説明したので、ここで再び詳細を説明したりはしない。
【００３５】
本発明のこの実施形態で提供されるアクティブマトリクス型有機発光ダイオードパネルにおいては、ＴＸ回路及びＲＸ回路がそれぞれＴＦＴバックプレーン上又はパッケージングガラス上に配置され、故に、タッチシステムの積み重ねられる層の数が減少される。これは、タッチシステムの厚さを減らし、それにより、いっそう薄くて軽いＡＭＯＬＥＤディスプレイスクリーンを達成し、端末製品の重量を減少させる。さらに、毎セグメント走査・毎セグメント表示の駆動方式を使用することにより、タッチ応答時間が短縮され、それにより、十分な走査時間及び表示時間が確保され、画像表示品質が確保される。
【００３６】
図１０は、本発明の一実施形態に従ったディスプレイ駆動方法を示している。このディスプレイ駆動方法は、上述の実施形態で提供されるアクティブマトリクス型有機発光ダイオードパネルに適用され得る。図１０を参照するに、この駆動方法は、以下のステップを含む。
【００３７】
１００１：ディスプレイ駆動プロセスにおいて、画像のフレームに対して、走査信号線を使用することによって、画像のフレームの複数の行を順に走査するように走査回路を駆動する。走査信号線を使用することによって画像のフレームの複数の行を順に走査するように走査回路を駆動することは、
走査信号線を使用することによって、所定の方向に従って、画像のフレームの複数の行を順に走査するように走査回路を制御すること
を含む。
【００３８】
１００２：発光制御信号線を使用することによって、走査された複数の行を表示するように発光制御回路を駆動する。
【００３９】
タッチ応答時間は、走査回路の走査時間内又は発光制御回路の放射時間内に収まる。
【００４０】
本発明のこの実施形態で提供されるディスプレイ駆動方法によれば、ディスプレイ駆動プロセスにおいて、画像のフレームに対して、走査回路が、走査信号線を使用することによって、画像のフレームの複数の行を順に走査するように駆動され、次いで、発光制御回路が、発光制御信号線を使用することによって、走査された複数の行を表示するように駆動される。毎セグメント走査・毎セグメント表示の駆動方式が使用されるので、タッチ応答時間が短縮され、それにより、十分な走査時間及び表示時間が確保され、画像表示品質が確保される。
【００４１】
当業者は、実施形態のステップの全て又は一部が、ハードウェアによって又は関連ハードウェアに命令するプログラムによって実装され得ることを理解することができる。プログラムは、コンピュータ読み取り可能記憶媒体に格納され得る。記憶媒体は、読み出し専用メモリ、磁気ディスク、又は光ディスクを含み得る。
【００４２】
以上の説明は、本発明の単なる実施形態例であり、本発明を限定することを意図したものではない。本発明の原理を逸脱することなく為される如何なる変更、均等物、置換、及び改良も、本発明の保護範囲に入るものである。
【国際調査報告】
2018522308.tif 000013
2018522308.tif 000014
2018522308.tif 000015
2018522308.tif 000016
2018522308.tif 000017
2018522308.tif 000018